(57)【特許請求の範囲】
【請求項１】
紙幣を取扱う処理装置であって、装置本体内で紙幣を搬送する搬送通路部での詰り紙幣の除去等のために装置本体外へ露出可能に構成され、前記搬送通路部から送り込まれる紙幣を収納する着脱可能なカセットを有する紙幣処理装置において、
前記搬送通路部を装置本体外に露出可能とする操作部と、
前記カセット内の紙幣入口近傍に設けられ、当該カセットが所定の位置に装填されているときのみ装置本体側からの駆動を受けて紙幣をカセット内に送り込むように構成された送入機構と、
前記操作部の操作により、前記搬送通路部を装置外に露出可能な状態とすることに連動して、前記所定の位置に装填されていたカセットを当該位置から所定量突出させて前記送入機構の駆動を断つように構成された駆動切断手段と、
を備えたことを特徴とする紙幣処理装置。
【請求項２】
前記操作部は、カセットの取出し用の施錠機構である
ことを特徴とする請求項１に記載の紙幣処理装置。
【発明の詳細な説明】
【０００１】
【発明の属する技術分野】
本発明は紙幣入金機、紙幣入出金機等の紙幣を取扱う処理装置に係り、特に装置本体に対し着脱可能な紙幣収納用カセットを有する紙幣処理装置に関する。
【０００２】
【従来の技術】
上記のような紙幣を取扱う紙幣処理装置においては、装置本体内での紙幣を搬送する搬送通路部で紙幣詰りが生じたときこの搬送通路部を含むユニットを装置本体から引出すか、あるいは上部ユニットを開放して搬送通路部を露出させ、詰った紙幣を取り除くようになされている。また搬送通路部が露出されても、見えない箇所に紙幣が滞留している場合があり、このようなときは搬送ベルト等を手で回動させて滞留している紙幣を見える位置まで移動させたうえで取り除くようにしている。
【０００３】
上記の場合、搬送ベルトを手動で回動させると、カセットの直前位置に滞留している紙幣をカセット内に入れてしまうことがある。通常詰り紙幣を取り除く際には電源を切ってあるため上記のようにカセット内に送入される紙幣はセンサ等により検知されず、したがってカセット内の在高と実際に収納されている紙幣の在高とに差異が生じてしまうことになる。
【０００４】
そこで従来では、詰り紙幣の排除時にカセット内に紙幣が送入されてしまうことがないようにするため、搬送通路を切換えたり、あるいはカセットの入口にシャッタ部材を設け、詰り解除時にこのシャッタが閉じてカセットの入口を閉鎖する手段がとられていた。
【０００５】
【発明が解決しようとする課題】
しかるに上記従来の技術では、紙幣の詰り解除時に搬送通路を切換える手段やカセットの入口にシャッタを設ける手段のいずれにおいてもその切換えや開閉のための駆動手段が必要となり、まれに生じる事態のために前記手段を常設することはコストアップを招くばかりでなく余分なスペースを確保することが必要となるなどの問題点があった。
【０００６】
また搬送通路を切換えるについても、分岐部の切換爪上に紙幣が残留していた場合には切換え動作ができないことがあり、完全な手段ではなかった。
【０００７】
本発明は上記従来の技術が有する問題点を解消することを課題としてなされたもので、搬送通路部やカセットの入口に特別な駆動手段を設けることなくカセット内に紙幣が送り込まれることのない紙幣処理装置を提供することにある。
【０００８】
【課題を解決するための手段】
上記課題を解決するため、本発明は、紙幣を取扱う処理装置であって、装置本体内で紙幣を搬送する搬送通路部での詰り紙幣の除去等のために装置本体外へ露出可能に構成され、前記搬送通路部から送り込まれる紙幣を収納する着脱可能なカセットを有する紙幣処理装置において、前記搬送通路部を装置本体外に露出可能とする操作部と、前記カセット内の紙幣入口近傍に設けられ、当該カセットが所定の位置に装填されているときのみ装置本体側からの駆動を受けて紙幣をカセット内に送り込むように構成された送入機構と、前記操作部の操作により、前記搬送通路部を装置外に露出可能な状態とすることに連動して、前記所定の位置に装填されていたカセットを当該位置から所定量突出させて前記送入機構の駆動を断つように構成された駆動切断手段と、を備えたことを特徴とする。
【００１０】
また前記操作部はカセットの取出し用の施錠機構で構成することができる。
【００１１】
【発明の実施の形態】
以下、本発明を図面に示す実施の形態を参照して説明する。
【００１２】
図示の実施形態は本発明による紙幣処理装置１０をスーパーマーケット等の精算所におけるＰＯＳレジスタ１１に組み入れて使用する紙幣入出金装置とした場合を示しており、図１はＰＯＳレジスタ１１に組み入れた状態の外観を示し、ＰＯＳレジスタ１１の下部一側に上記紙幣処理装置１０が、他側に硬貨の入出金処理を行う硬貨処理装置１２が位置するようにしてレジ台１３上に配設されている。
【００１３】
上記ＰＯＳレジスタ１１は、周知のように操作キー１４群、係員用表示部１５，顧客用表示部１６、顧客から受取った現金を顧客に見える状態に一時的に置いておく貨幣載置部１７、レシート発行口１８等を有している。
【００１４】
図２は図１の紙幣処理装置１０を取出して示す縦断側面図であり、この紙幣処理装置１０は繰込みから搬送、収納、繰出しのすべての処理が紙幣Ｐを長手方向として行われるようにした場合を示している。したがって全体形状を定める装置本体１９は細幅で扁平な直方体形状の箱構造とされ、その一端が開口されていてこの開口部１９ａから機体２０が挿入されている。
【００１５】
上記機体２０は、図７に示すように前記装置本体１９の側壁１９ｂの内面水平方向に設けられたレール２１に機体２０側のスライドレール２２が嵌合されて水平方向に引出し可能とされている。
【００１６】
前記機体２０は一側面が開放された形態を有するもので、この機体２０に紙幣の入出金に必要な各部が搭載されて一つのユニットを構成している。
【００１７】
上記各部の概要を説明すると、機体２０の前部側（図２において右側）の上部位置に入金口部２３が、前部側下部位置に出金口部２４がそれぞれ開口され、これら入金口部２３と出金口部２４との間の位置に回収用のカセット２５が抜取り可能に設けられている。
【００１８】
また機体２０の後部側に、紙幣Ｐを金種別に収納し繰出しする金種別紙幣収納部２６，２７が上下に重層状に配設されている。
【００１９】
ちなみに図示の実施形態では、上位の金種別紙幣収納部２６を５千円紙幣用とされ、下位の金種別紙幣収納部２７が千円紙幣用とされており、カセット２５は１万円紙幣および前記各収納部２６，２７でのオーバーフロー紙幣が収納される。
【００２０】
そして前記入金口部２３、カセット２５、出金口部２４と金種別紙幣収納部２６，２７との間には搬送通路２８が配設されている。
【００２１】
次に上記各部の構成の詳細について説明する。
【００２２】
前記入金口部２３は、図２、図３に示すように複数枚の紙幣を同時に挿入し得るもので、紙幣を挿入する入金口２３ａに続いて入金紙幣を水平方向に搬送する繰込みベルト２９が配設され、その上部にローラ３０が接するように軸支され、このローラ３０は逆転駆動されて繰込みベルト２９上の紙幣の２枚同時通過を阻止し、１枚のみ通過させるゲートを構成している。上記繰込みベルト２９の奥側のプーリー３１はクラッチを介して駆動され、繰込み指令によりクラッチがオンとなって回動されるようになっている。
【００２３】
また繰込みベルト２９の上部位置には、紙幣の上面を押えて浮き上がりを防ぐ自重垂下型の押え板３２が後方に向けて下り傾斜姿勢に枢支されており、その先端は前記ローラ３０の直近に位置して紙幣の先端がローラ３０の下側へ確実に送り込まれるようになされている。
【００２４】
なお符号Ｓ１は紙幣の挿入を検知するセンサ、Ｓ２は繰込まれる紙幣を検知するセンサを示す。
【００２５】
前記カセット２５は図２、図３に示すように扁平な箱構造を有し、機体２０の前端から奥方向に向けて形成された筐体３３内にスライド可能に挿入されている。
【００２６】
このカセット２５の後端上方位置には図３に拡大して示すように紙幣を送入するための入口３４が開口されており、この入口３４の内部には紙幣Ｐを送り込むための左右２本のベルトからなる送入ベルト３５と、この送入ベルト３５の入口３４側のプーリー３７の下部に位置するローラ３６とが上下に対をなして配設されてなる送入機構３５Ａが設けられている。
【００２７】
この送入機構３５Ａは、カセット２５を所定位置に装填したとき回転駆動系と接続され、カセット２５の施錠を解いてその一部が機体２０外に露出されたとき駆動力の伝達が遮断される駆動切断手段を有している。
【００２８】
図２、図３に示す実施形態では、前記ベルト３５の入口３４側のプーリー３７の軸端にカセット２５を所定の位置に格納したとき機体２０側に設けられた駆動ギヤ３８に噛合うギヤ３９が設けられていて、この噛合時にベルト３５，３５に繰込み方向への回転が与えられるようになり、カセット２５が若干突出したとき駆動ギヤ３８とギヤ３９とが離間して駆動力の伝達が遮断されるようになっている。
【００２９】
前記カセット２５の内部には、前記入口３４から送入される紙幣Ｐを集積状態に収納するための受板４０が設けられており、この受板４０はバネ４１，４１により常時上方へ向けて付勢されていて、受板４０上に集積紙幣Ｐの長手方向両側端部上面が左右の集積用回転体４２，４２の下面に押し当てられるようになっている。
【００３０】
上記集積用回転体４２，４２自体は概ね公知のものであるが、簡単に記すとこの集積用回転体４２，４２は図４に示すように丸棒状の部材からなり、その長手方向一側面に所要深さのスリット４３，４３が形成されたもので、前記ベルト３５とローラ３６とで送り込まれた紙幣Ｐの長手方向両側端部が図４（Ａ）のようにスリット４３，４３内に挿入されて一旦支持されるようになっている。
【００３１】
そして前記集積用回転体４２，４２は、その前端にウォーム４４を有し、回収カセット２５を所定の位置に格納したとき機体２０側の駆動ギヤ４５が前記ウォーム４４に噛合するウォームホイル４６の軸上のギヤ４７に中間ギヤ４７ａを介し噛合して集積用回転体４２，４２に図４（Ｂ）に矢印で示す方向に回転が与えられるようになっており、それぞれ１回転することにより前記スリット４３，４３で保持されていた紙幣Ｐを下方に集積させるように形成されている。
【００３２】
前記筐体３３の奥端にはカセット２５を若干量押出すための押出し部材としての圧縮バネ４８が内装されていてカセット２５の後端面に当接自在とされており、カセット２５を所定の位置へ押入したときバネ４８が圧縮されてカセット２５を押し出す方向に付勢力が働くようになっている。なおこの押出し部材としては、図示のコイル状の圧縮バネに限らず、板バネ等を利用したものであってもよい。
【００３３】
機体２０の前面２０ａには本発明における操作部となる第１施錠手段のキー孔４９が設けられ、このキー孔４９に第１のキー５０（図７示）を挿入して回動することにより図示しないロック機構が解除されてカセット２５および機体２０の拘束が解かれ、カセット２５は前記のバネ４８の作用により押し出されて図７（Ａ）に示すように機体２０の前面２０ａから若干突出した状態となって人手によって引出し可能となり、機体２０は後述する第２施錠手段のロック位置（図７（Ｂ）の状態）まで引出し可能となる。しかしこの状態においては前記金種別紙幣収納部２６，２７の開放側面は図７（Ｂ）のように装置本体１９の側壁１９ｂの先端部分で完全に覆われており、第２施錠手段を解かない限り上記収納部２６，２７へは手を挿入することはできない。
【００３４】
一方、前記のようにカセット２５が若干突出することにより送入ベルト３５のプーリー軸上のギヤ３９、および集積用回転体４２，４２のギヤ４７が機体２０側の駆動ギヤ３８，４５からそれぞれ離間し、そのままカセット２５を引出せば、図７（Ａ）に鎖線で示すように機体２０から取出すことができる。
【００３５】
図３において５１はカセット２５が所定の位置にセットされたことを検知する検知スイッチ、Ｓ３はカセット２５へ送入される紙幣の検知用センサ、Ｓ４はカセット２５内の紙幣の有無を検知するセンサを示す。
【００３６】
前記出金口部２４は、機体２０の前面２０ａにより若干突出する底板５２を有し、この底板５２の前記前面２０ａより突出した出金口２４ａ部分の両面に断面コ字状をなすようにガード５３，５３が形成されており、このガード５３，５３の先端にはヒンジにより開閉可能な扉５４，５４が取付られていて、常時は図１、図２のように閉じ状態に付勢され、出金時の紙幣の先端のストッパとして機能し、出金された紙幣を取出すときは紙幣の先端を掴んで引出せば扉５４，５４が紙幣により押し開かれてその間から抜取ることができるようになっている。
【００３７】
前記金種別紙幣収納部２６，２７（以下単に収納部と略称する）は、上下とも同じ構造を有するもので、その一方につき説明し、他方にはこれと対応する符号を付して説明する。
【００３８】
収納部２６の底部上に受板５５がバネ５６，５６により支持して設けられ、収納部２６の上方部には繰込み・繰出し兼用の３本のベルト５７，５７，５７が収納部２６，２７の前端上部に設けられた紙幣の出入口５８，５８から奥側にかけて収納部２６，２７の略２／３程度の範囲にわたって配設され、このベルト５７は後述する搬送通路２８の駆動系から途中にクラッチを介して正逆回転が伝達されるようになっている。
【００３９】
前記ベルト５７の奥端近傍位置に紙幣押えレバー５９がベルト間に位置して設けられている。この紙幣押えレバー５９は、後端部が機体２０側に軸６０により上下揺動自在に支持され、その先端下面には紙幣Ｐの上面に当接するゴム等の摩擦係数の大きい材料からなる摩擦部片６１が設けられ、紙幣の繰出し時にベルト５７の回動により最上位の１枚目の紙幣Ｐが繰出されてその後端が前記紙幣押えレバー５９の摩擦部片６１の位置を通り過ぎたとき図示しないソレノイドにより紙幣押えレバー５９が下降揺動して摩擦部片６１が２枚目の紙幣Ｐの上面に当接して２枚目の紙幣の連れ出しを防ぐように形成されている。出金しないときは下降して紙幣Ｐの上面に当接している。
【００４０】
前記各収納部２６，２７内の受板５５，５５より上方でかつ左右のベルト５７，５７より外側において紙幣Ｐの長手方向両側端部に対応する位置に延びる左右一対ずつの支持アーム６２，６２および６２，６２（図５示）が設けられ、これら支持アームの収納部２６，２７から突出した後端部が別のモータにより昇降する昇降部材６３に固定され、単一の昇降機構により上下の収納部２６，２７の支持アーム６２，６２が同時に昇降されるように形成されており、これら支持アーム６２，６２，６２，６２は最上昇時に図２、図５に鎖線で示すように収納部２６，２７のベルト５７，５７の下面より上方へ移動し、この上昇により支持アーム６２，６２上に送入されて図５（Ａ）のように受止められていた紙幣Ｐが左右に位置するベルト５７，５７の下面に当ったのち支持アーム６２，６２上から図５（Ｂ）のように紙幣Ｐが取り残されて下方に集積されるようになっている。
【００４１】
下部の収納部２７の前端下部位置の機体２０には、前記第１施錠手段の解錠により機体２０を引出したとき装置本体１９の開口部１９ａから露出する位置（図７（Ｂ）示）に第２施錠手段のキー孔６４が設けられ、第２のキー６５を挿入して回動することによりロックレバー６６が装置本体１９の側壁１９ｂの内面に突設されたロックピン６７から外れ、図７（Ｃ）のように機体２０ごと装置本体１９から抜き出すことができ、これにより収納部２６，２７の側面が初めて開放されることになる。
【００４２】
次に搬送通路部２８の構成について説明する。
【００４３】
搬送通路部２８は、機体２０の前部側に配設される入金口部２３、カセット２５の入口３４，出金口部２４の各後端位置、すなわち入金口部２３の繰込み口２３ｂ、回収カセット２５の入口３４、出金口部２４の入口２４ｂへの各通路を集約する搬送路７０と、各金種別紙幣収納部２６、２７の先端位置の各出入口５８、５８への通路を集約する搬送路７１とを接続する側面視略Ｓ字状（図では裏面側から見ているので左右逆）をなす１本の搬送通路として構成されている。
【００４４】
すなわち搬送通路は、前記入金口部２３の繰込みベルト２９の末端に配設された上下のガイド板７２，７２の内端位置の上下に設けられたプーリー７３，７４と、カセット２５の入口３４に対応して設けられたプーリー７５と、その下方に位置するプーリー７６と、中央位置に設けられる大径プーリー７７と、この大径プーリー７７と前記プーリー７４との間の位置に設けられた駆動プーリー７８と、上部の収納部２６の出入口５８の上方位置に設けられたプーリー７９とにわたって無端状に巻回されたベルト７０ａ、上部の収納部２６の出入口５８のプーリー７９の直下近傍に設けられたプーリー８０と、その下方に設けられるプーリー８１と、出金口部２４に至る位置に設けられるプーリー８２と、前述の大径プーリー７７および駆動プーリー７８にわたって無端状に巻回されるベルト７１ａ、およびそれらのベルトに対向するプーリー７４、７５・・・で構成され、図２に太  線で表示している範囲は両ベルト７０ａ，７１ａが重なっていて、両ベルト間に紙幣Ｐが挟持されて搬送される領域とされ、この範囲は側面視において大径プーリー７７を含み略Ｓ字状を画く形態とされている。そしてこの領域は処理対象とする紙幣Ｐの搬送方向長さ（図示の実施形態では長手方向の長さ）より長く、かつ正逆搬送可能とされている。
【００４５】
前記プーリー８２に至る部分の上部には、出金紙幣を出金口部２４へ送り出すためのベルト８３が設けられている。
【００４６】
前記大径プーリー７７は、図６にその部分のみを示しているように、機体２０の側壁２０ｂに支持部材１００を介して軸７７ａにより支持され、前記側壁２０ｂ側には前記大径プーリー７７と略同径の外周面を有するブラシレスモータ８４が支持され、このモータ８４の外周面が前記大径プーリー７７と協働して紙幣Ｐをガイドする実質的に大径プーリーの一部として機能するようになっている。
【００４７】
前記モータ８４の出力軸上のプーリー８５には、前記搬送通路部２８の駆動プーリー７８に回転を伝達するベルト８６が巻装されている。また上記大径プーリー７７を含み略Ｓ字状を画くベルト７０ａ、７１ａの折返し端側には、紙幣をガイドするための円弧状凹曲面１０１ａを有する樹脂製の紙幣ガイド１０１が適宜配設されている。
【００４８】
前記プーリー７６と大径プーリー７７との間には、入金紙幣の金種を識別する入金識別部８７が設けられ、プーリー７８とプーリー８０との間には出金紙幣の２枚重なりや連鎖等をチェックする出金識別部８８が設けられている。
【００４９】
前記搬送通路部２８の各プーリーは、機体２０の側壁２０ｂに片持ち支持され、他側はオープン状態とされている。また各収納部２６，２７のベルト５７，５７には、前記搬送通路部２８の駆動系から途中にクラッチを介して正逆回転が伝達されるようになっている。
【００５０】
前記回収カセット２５への分岐部、出金口部２４への分岐部、上部の収納部２６への分岐部にはそれぞれ切換爪８９，９０，９１が設けられており、回収カセット２５の入口３４への切換爪８９はバネ付勢を受けて常時図１、図２に示す状態におかれ、切換爪９０、９１は制御部からの指令に基づいて図示しないソレノイドにより切換え動作されるようになっている。
【００５１】
また各搬送通路には紙幣Ｐの通過を検知するセンサＳ５，Ｓ６，Ｓ７，Ｓ８が設けられ、出金口部２４のセンサＳ８は反射式とされている。
【００５２】
図１において９２は機体２０の前部上面に設けられた操作部で、手動出金時の金額指定、回収指示等を行うものであり、９３は硬貨処理装置１２の硬貨投入口、９４は釣銭硬貨投出口である。
【００５３】
次に上記実施形態の作用を説明する。
【００５４】
紙幣Ｐを入金する場合は、入金口２３ａから入金紙幣を複数枚同時にゲート部のローラ３０に当る位置まで挿入すると、センサＳ１が紙幣を検知して搬送通路  部２８のモータ８４が駆動するとともに繰込みベルト２９への回転伝達系のクラッチが投入され、繰込みベルト２９が図１、図２において反時計方向に回動して最上位の紙幣を送り出し、ローラ３０によるゲート作用により１枚に分離されて搬送路７０へ送り込まれる。
【００５５】
この搬送路７０を送られる紙幣は、入金識別部８７を通る間に金種が識別され、その紙幣が５千円紙幣であれば切換爪９１が受入れ側に切換って収納部２６へ送り込まれ、千円紙幣であれば収納部２７へ送り込まれる。
【００５６】
収納部２６，２７へ送り込まれた紙幣Ｐは、図５（Ａ）のようにその長手方向両側端部が支持アーム６２，６２上に跨がって載り、送り込みが終了したとき図示しないモータの駆動により昇降部材６３が上昇して支持アーム６２，６２がベルト５７より上方へ移動し、その間に図５（Ｂ）のように紙幣Ｐの両側端部が支持アーム６２，６２から外れるのでその紙幣Ｐは受板５５上に集積される。
【００５７】
前記入金紙幣が１万円紙幣であったときは、搬送通路部２８の大径プーリー７７の存在により略Ｓ字状に大きく屈曲する搬送通路部２８に至り、その紙幣の後端が入金識別部８７を通り過ぎた時点でモータ８４が一旦停止し、モータ８４が逆転駆動してその１万円紙幣はカセット２５内へ送り込まれる。
【００５８】
カセット２５内に送り込まれた紙幣は、機体２０側の駆動ギヤ３９を通じて回動する送入ベルト３５とローラ３６との間に受渡されて送り込まれ、その紙幣の長手方向両側端部が図４（Ａ）のように左右の集積用回転体４２，４２のスリット４３，４３内に挿入されて一旦保持され、次いでこれら集積用回転体４２，４２が駆動ギヤ４５、ギヤ４７、ウォームホイル４６、ウォーム４４を通じて図４（Ｂ）の矢印方向に回動し、紙幣Ｐの側端部がスリット４３，４３から外れて受板４０上に集積される。
【００５９】
出金の場合は、出金指令に基づいて図示しないモータが駆動し、支持部材６３が上昇して上下の収納部２６，２７の支持アーム６２，６２が共に収納部２６，２７の上方に退出し、これにより受板５５がバネ５６の付勢により上昇して受板５５上に集積されている集積紙幣の上面がベルト５７の下面に押しつけられる。このとき繰出さない側の収納部２６または２７の紙幣押えレバー５９が下降して紙幣Ｐの上面を押圧し、受板５５ごと押し下げて最上位の紙幣をベルト５７から離間させている。繰出し側の紙幣押えレバー５９は図示しないソレノイドにより上昇した位置におかれる。
【００６０】
出金すべき金種の紙幣はベルト５７の図２において反時計方向への回動により、最上位の１枚が送り出される。
【００６１】
この紙幣の後端が紙幣押えレバー５９の先端位置を通り過ぎると図示しないソレノイドにより紙幣押えレバー５９が下方へ揺動し、その先端下面の摩擦部片６１が２枚目の紙幣を上面に当接して２枚目の紙幣の連れ出しを防ぐ。
【００６２】
送り出された１枚目の紙幣は、搬送通路部２８へ受渡され、モータ８４による駆動プーリー７８の時計方向回転により搬出される。その途中において出金識別部８８を通る間に２枚重ね、連鎖、出金不適正の紙幣か否かがチェックされ、出金可と判定されたときは切換爪９０が切換って出金口部２４へ送られ、出金不可と判定された場合は切換爪９０が搬送路７０側へ切換ってカセット２５へ送り込まれる。
【００６３】
出金口部２４へ送られた紙幣は、搬送路７１の末端のプーリー８２とその上のベルト８３との間から出金口部２４の底板５２上へ放出されて底板５２上に集積される。その際に紙幣の先端は出金口部２４の扉５４，５４の内側面に当って止まり、散逸することはない。
【００６４】
出金された紙幣を取出すときは、底板５２の先端から出ている紙幣端を掴んで引き出せば、扉５４，５４が左右に観音開きしてその間から紙幣を引抜くことができる。
【００６５】
前記カセット２５を機体２０から取出して内部の紙幣を回収・精算するときは、操作部である第１の施錠手段のキー孔４９に第１のキー５０を挿入して回動すると、施錠が解かれてカセット２５は圧縮バネ４８により図７（Ａ）のようにその前端が機体２０の前面２０ａより若干突出し、この突出部分を持って引抜くことができる。
【００６６】
一方、機体２０内の搬送通路部２８で紙幣詰りが生じたときは、図７（Ｂ）のように機体２０を第２の施錠手段のロックレバー６６がロックピン６７に係合して抜けなくなるまで引出せば搬送通路２８の側面が露出し、詰り紙幣を取り除くことができる。
【００６７】
このとき手の入らない箇所に紙幣が滞留していて搬送通路部２８を構成しているベルトを手で回して紙幣を移動させるときその紙幣がカセット２５の入口近傍にあってカセット２５内に送り込まれようとしても、前記のようにカセット２５の送入ベルト３５への回転伝達系は切離されているので送入ベルト３５、ローラ３６は共に不回転の状態におかれており、紙幣が送り込まれようとしてもこれら送入ベルト３５、ローラ３６に当って送入されることがない。これによりカセット２５内の紙幣の在高に変動をきたしてしまうことが未然に防止される。
【００６８】
収納部２６、２７内の紙幣を取出すときは、第２の施錠手段６４のキー孔６４ａに第２のキー６５を挿入して回動することによりロックレバー６６がロックピン６７から外れ、機体２０をさらに引出して図７（Ｃ）のように収納部２６、２７の側面が装置本体１９の側壁１９ｂの前端より前方に突出し、収納部２６、２７内から紙幣を掴み出すことができる。
【００６９】
図示の実施形態では、カセット２５の送入機構３５Ａへの駆動力伝達系の駆動切断手段をカセット２５の施錠解除操作による突出動作によりギヤの噛合が離間することによる場合を示したが、前記施錠解除操作により駆動ギヤをソレノイド等により移動させてカセット２５の送入機構３５Ａ側のギヤ３９と切り離すようにしてもよい。
【００７０】
【発明の効果】
以上説明したように、本発明によれば、機体内の搬送通路で紙幣詰りが生じた場合、その搬送通路部の側面を装置本体から露出させる操作に連動してカセット内の送入機構の駆動伝達系が切断され、これにより、カセット内の送入機構が停止状態におかれるので、搬送通路部を手動で回動させて滞留紙幣を取出し可能な位置へ移動させようとする際に当該滞留紙幣がカセット内へ送り込まれることがない。これにより、カセット内の収納紙幣の在高に変動をきたしてしまうことを確実に防止することができる
【図面の簡単な説明】
【図１】本発明による紙幣処理装置の使用形態例を示す斜視図。
【図２】図１における紙幣処理装置の縦断側面図。
【図３】図２の前部側の拡大図。
【図４】図２におけるカセットの紙幣集積状況を示し、（Ａ）は紙幣受入れ時、（Ｂ）は集積時の状態を示す縦断３６図。
【図５】図２における金種別紙幣収納部の紙幣集積状況を示し、（Ａ）は紙幣受入れ時、（Ｂ）は集積時の状態を示す縦断正面図。
【図６】図２における搬送通路部の大径プーリー部分の斜視図。
【図７】図２における外筐と機体との関係を示し、（Ａ）はカセットの引出し状態、（Ｂ）は機体のメンテナンス時の引出し状態、（Ｃ）は金種別紙幣収納部を開放させた引出し状態の各側面図。
【符号の説明】
１０  紙幣処理装置
１１  ＰＯＳレジスタ
１９  外筐
２０  機体
２３  入金口部
２４  出金口部
２５  カセット
２６，２７  金種別紙幣収納部
２８  搬送通路部
２９  繰込みベルト
３８，４５  駆動ギヤ
４２  集積用回転体
４８  押出し手段の一例である圧縮バネ
４９  操作部の一例である第１施錠手段のキー孔
５９  紙幣押えレバー
６２  支持アーム
６４  第２施錠手段のキー孔
７７  大径プーリー
８４  モータ（ブラシレスモータ）
【図１】
0003604602.tif 000002
【図２】
0003604602.tif 000003
【図３】
0003604602.tif 000004
【図４】
0003604602.tif 000005
【図５】
0003604602.tif 000006
【図６】
0003604602.tif 000007
【図７】
0003604602.tif 000008